(57)【要約】【課題】簡単な構成により、本体が受信した内容を容易に確認することができると共に、コストを低減させることができるリモコン装置を提供することを課題とする。【解決手段】リモコン装置１の操作キー３操作による信号を本体２に送信する送信手段１０を有するリモコン装置１において、本体２が受信した内容を確認することができる確認手段を備え、前記確認手段は、複数の発光素子８と、本体２の受信内容に応じて夫々の発光素子８への通電パターンを制御する制御手段９とから構成する。【選択図】  図３
2006080607.tif 000002
【特許請求の範囲】
【請求項１】
リモコン装置の操作キー操作による信号を本体に送信する送信手段を有するリモコン装置において、本体が受信した内容を確認することができる確認手段を備え、前記確認手段は、複数の発光素子と、本体の受信内容に応じて夫々の発光素子への通電パターンを制御する制御手段とから構成されていることを特徴とするリモコン装置。
【請求項２】
前記複数の発光素子は、夫々発光色が異なる発光素子から構成されていることを特徴とする請求項１記載のリモコン装置。
【請求項３】
リモコン装置の操作キー操作による信号を本体に送信する送信手段を有するリモコン装置において、本体が受信した内容を確認することができる確認手段を備え、前記確認手段は、振動発生装置と、本体の受信内容に応じて振動発生装置の駆動パターンを制御する制御手段とから構成されていることを特徴とするリモコン装置。
【請求項４】
リモコン装置の操作キー操作による信号を本体に送信する送信手段を有するリモコン装置において、本体が受信した内容を確認することができる確認手段を備え、前記確認手段は、音発生装置と、本体の受信内容に応じて音発生装置の駆動パターンを制御する制御手段とから構成されていることを特徴とするリモコン装置。
【請求項５】
前記リモコン装置は、確認キーをさらに備えると共に、確認キーが操作された際に前記確認手段を作動させる制御手段を備えていることを特徴とする請求項１乃至請求項４の何れか１項に記載のリモコン装置。
【発明の詳細な説明】
【技術分野】
【０００１】
本発明は、リモコン装置に関し、特に、操作キーの操作内容に対応した信号を本体に送信して本体の操作を行うリモコン装置に関する。
【背景技術】
【０００２】
この種、リモコン装置として、テレビジョン用リモコン装置の操作したチャンネルボタンを点灯させることにより、離れた位置にあるテレビジョンの画面上に小さく映し出されるチャンネル表示を見ることなく、リモコン装置を見ただけでテレビジョンが受信したチャンネルが容易に分かるように構成したものが知られている（例えば特許文献１参照）。
【特許文献１】特開平８−１３０６６１号公報
【発明の開示】
【発明が解決しようとする課題】
【０００３】
この構成により、目の不自由な人は、現在テレビジョンが受信しているチャンネルを、テレビジョンの見づらいチャンネル表示を見ることなく、手元のリモコンにより容易に確認することができるものである。
【０００４】
しかしながら、この構成では、すべてのチャンネルボタンを点灯可能に構成するために、すべてのチャンネルボタンに対応して点灯手段を設ける必要があり、構成が複雑化すると共に、コストが増大してしまう課題があった。
【０００５】
そこで本発明は、このような課題を解決するためになされたものであり、簡単な構成により、本体が受信した内容を容易に確認することができると共に、コストを低減させることができるリモコン装置を提供することを課題とする。
【課題を解決するための手段】
【０００６】
上記課題を解決するための第１の手段は、リモコン装置の操作キー操作による信号を本体に送信する送信手段を有するリモコン装置において、本体が受信した内容を確認することができる確認手段を備え、前記確認手段は、複数の発光素子と、本体の受信内容に応じて夫々の発光素子への通電パターンを制御する制御手段とから構成されていることを特徴とする。
【０００７】
上記課題を解決するための第１の手段において、前記複数の発光素子は、夫々発光色が異なる発光素子から構成されてもよい。
【０００８】
上記課題を解決するための第２の手段は、リモコン装置の操作キー操作による信号を本体に送信する送信手段を有するリモコン装置において、本体が受信した内容を確認することができる確認手段を備え、前記確認手段は、振動発生装置と、本体の受信内容に応じて振動発生装置の駆動パターンを制御する制御手段とから構成されていることを特徴とする。
【０００９】
上記課題を解決するための第３の手段は、リモコン装置の操作キー操作による信号を本体に送信する送信手段を有するリモコン装置において、本体が受信した内容を確認することができる確認手段を備え、前記確認手段は、音発生装置と、本体の受信内容に応じて音発生装置の駆動パターンを制御する制御手段とから構成されていることを特徴とする。
【００１０】
上記課題を解決するための第１の手段乃至第３の手段において、前記リモコン装置は、確認キーをさらに備えると共に、確認キーが操作された際に前記確認手段を作動させる制御手段を備えてもよい。
【発明の効果】
【００１１】
本発明の請求項１の構成によると、リモコン装置の発光素子の点灯パターンを見るだけで本体が受信している画像のチャンネルを確認することができるため、目が不自由な人でも、手元のリモコン装置で現在本体が受信しているのチャンネルを容易に確認することができる。また、複数の発光素子で確認手段を構成することができるため、構成を簡素化してコストの低減化を図ることができる等の効果を奏する。
【００１２】
本発明の請求項２の構成によると、複数の発光素子の発光色を夫々異ならせているため、発光素子の点灯パターンの確認がより容易になり、目が不自由な人でもより容易に現在受信しているチャンネルを確認することができる等の効果を奏する。
【００１３】
本発明の請求項３の構成によると、リモコン装置の振動パターンにより本体が受信している画像のチャンネルを確認することができるため、目が不自由な人でもより容易に現在のチャンネルを確認することができる。また、振動発生装置で確認手段を構成することができるため、構成を簡素化してコストの低減化を図ることができる等の効果を奏する。
【００１４】
本発明の請求項４の構成によると、リモコン装置から発生させる音のパターンにより本体が受信している画像のチャンネルを確認することができるため、目が不自由な人でもより容易に現在のチャンネルを確認することができる。また、音発生装置で確認手段を構成することができるため、構成を簡素化してコストの低減化を図ることができる等の効果を奏する。
【００１５】
本発明の請求項５の構成によると、表示キーを操作した時だけ、本体が受信しているチャンネルを表示させるため、リモコン装置の電源となる電池の消費を低減化することができ、電池の長寿命化を図ることができる等の効果を奏する。
【発明を実施するための最良の形態】
【００１６】
（第１実施形態）
本発明の一実施形態を図１乃至図３に基づいて以下に詳述する。
【００１７】
図１は、リモコン装置１と本体（テレビジョン）２の使用状態を示している。リモコン装置１の後述する操作キー３を操作すると、その操作信号がワイヤレスで本体２に到達することにより、本体２が操作できるようになっている。また、リモコン装置１の電源として図示しない電池が内装されている。
【００１８】
図２に示すように、リモコン装置１には、複数の操作キー３と１つの表示キー４が備えられている。操作キー３は、電源キー５、音量キー６及びチャンネルキー７から構成されている。電源キー５は本体２のＯＮ・ＯＦＦ切換を行う際に操作する。音量キー６は本体２の音量調整を行う際に操作し、「＋」キー６ａを操作すると本体２の音量は上がり、「−」キー６ｂを操作すると本体２の音量は下がるようになっている。チャンネルキー７は本体２のチャンネルを切換える際に操作する。
【００１９】
また、リモコン装置１には、ＬＥＤ等の発光素子からなる表示部８が形成されている。表示部８は、青色ＬＥＤからなる第１表示部８ａ、赤色ＬＥＤからなる第２表示部８ｂ、黄色ＬＥＤからなる第３表示部８ｃから構成されている。また、表示キー４は、本体２が受信している映像のチャンネルを表示部８に表示させるためのものである。
【００２０】
リモコン装置１の制御を、図３に示す制御ブロック図に基づいて詳述する。操作キー３を操作すると制御手段９は、その操作信号を送信手段１０により本体２に送信する。この操作信号を受信した本体２は、操作信号の内容に基づいて動作する。
【００２１】
また、表示キー４を操作すると制御手段９は、操作信号の内容に基づいて動作している本体２のチャンネル情報を表示部８に表示させる。第１表示部８ａは１０チャンネルを表示し、第２表示部８ｂは５チャンネルを表示し、第３表示部８ｃは１チャンネルを表示するようになっている。
【００２２】
この結果、例えば、操作キー３により１２チャンネルを選択した後、表示キー４を操作すると、第１表示部８ａが１回点灯した後、第３表示部８ｃが２回点灯する。また、操作キー３により８チャンネルを選択した後、表示キー４を操作すると、第２表示部８ｂが１回点灯した後、第３表示部８ｃが３回点灯する。また、操作キー３により４チャンネルを選択した後、表示キー４を操作すると、第３表示部８ｃが４回点灯する。
【００２３】
このようにして、リモコン装置１のＬＥＤの点灯パターンを見るだけで本体２が受信している画像のチャンネルを確認することができるため、目が不自由な人でも、現在本体２が受信しているのチャンネルを手元のリモコン装置１で容易に確認することができる。
【００２４】
また、最小限のＬＥＤで表示部８を構成しているため、構成を簡素化してコスト低減を図ることができる。また、第１表示部８ａ、第２表示部８ｂ及び第３表示部８ｃのＬＥＤの発光色を夫々異ならせているため、ＬＥＤの点灯パターンの確認がより容易になり、目が不自由な人でもより容易に現在受信しているチャンネルを確認することができる。
【００２５】
また、表示キー４を操作した時だけ、本体２が受信しているチャンネルを表示部８に表示させるため、リモコン装置１の電源となる電池の消費を低減化することができ、電池の長寿命化を図ることができる。
【００２６】
尚、表示部８により本体２が受信しているチャンネルを表示するパターンは第１実施形態に限定されるものではなく、種々の点灯パターンにより本体２が受信しているチャンネルを表示させる構成にしてもよい。
（第２実施形態）
図４及び図５は本発明の第２実施形態を示している。尚、第１実施形態と同一部品については同一符号を付して説明を省略する。
【００２７】
第１実施形態では、本体２が受信している画像のチャンネルを表示部８に表示させたが、第２実施形態では、表示部８に換えてバイブレータ等からなる振動発生装置１１をリモコン装置１に内装した構成となっている。
【００２８】
振動発生装置１１は１０チャンネルを表示する時には長時間振動（略２秒）し、５チャンネルを表示する時には中時間振動（略１秒）し、１チャンネルを表示する時には短時間振動（略０．５秒）するようになっている。
【００２９】
この構成により、例えば、操作キー３により１２チャンネルを選択した後、表示キー４を操作すると、長時間振動を１回した後、短時間振動を２回する。また、操作キー３により８チャンネルを選択した後、表示キー４を操作すると、中時間振動を１回した後、短時間振動を３回する。また、操作キー３により４チャンネルを選択した後、表示キー４を操作すると、短時間振動を４回する。
【００３０】
このようにして、リモコン装置１の振動の長さと回数により本体２が受信している画像のチャンネルを確認することができるため、目が不自由な人でもより容易に現在のチャンネルを確認することができる。
【００３１】
尚、振動発生装置１１により本体２が受信しているチャンネルを表示するパターンは第２実施形態に限定されるものではなく、種々の振動パターンにより本体２が受信しているチャンネルを表示させる構成にしてもよい。
（第３実施形態）
図６は第３実施形態を示している。第２実施形態では、振動発生装置１１をリモコン装置１に内装した構成となっているが、第３実施形態では、スピーカ等からなる音発生装置１２をリモコン装置１に内装した構成となっている。尚、第１実施形態及び第２実施形態と同一部品については同一符号を付して説明を省略する。
【００３２】
第３実施形態では、音発生装置１２は１０チャンネルを表示する時には高音を発生させ、５チャンネルを表示する時には中音を発生させ、１チャンネルを表示する時には低音を発生させるようになっている。
【００３３】
この構成により、例えば、操作キー３により１２チャンネルを選択した後、表示キー４を操作すると、高音を１回発生させた後、低音を２回発生させる。また、操作キー３により８チャンネルを選択した後、表示キー４を操作すると、中音を１回発生させた後、低音を３回発生させる。また、操作キー３により４チャンネルを選択した後、表示キー４を操作すると、低音を４回発生させる。
【００３４】
このようにして、リモコン装置１から発生させる音の高さと回数により本体２が受信している画像のチャンネルを確認することができるため、目が不自由な人でもより容易に現在のチャンネルを確認することができる。
【００３５】
尚、音発生装置１２により本体２が受信しているチャンネルを表示するパターンは第３実施形態に限定されるものではなく、種々の音発生パターンにより本体２が受信しているチャンネルを表示させる構成にしてもよい。
【００３６】
また、本発明の第１実施形態乃至第３実施形態では、リモコン装置１により操作される本体２はテレビジョンであったが、この構成に限定されるものではない。例えば、本体２としてのＶＴＲ，液晶プロジェクター及びラジオ等の受信内容を、第１実施形態乃至第３実施形態のようなリモコン装置１で確認することができる構成にしてもよい。
【図面の簡単な説明】
【００３７】
【図１】本発明の第１実施形態のリモコン装置の使用状態を示す図である。
【図２】同リモコン装置の平面図である。
【図３】同リモコン装置の制御を示すブロック図である。
【図４】本発明の第２実施形態のリモコン装置の平面図である。
【図５】同リモコン装置の制御を示すブロック図である。
【図６】本発明の第３実施形態の制御を示すブロック図である。
【符号の説明】
【００３８】
１    リモコン装置
２    本体
３    操作キー
４    表示キー
８    表示部
８ａ  第１表示部
８ｂ  第２表示部
８ｃ  第３表示部
９    制御手段
１０  送信手段
１１  振動発生装置
１２  音発生装置
【図１】
2006080607.tif 000003
【図２】
2006080607.tif 000004
【図３】
2006080607.tif 000005
【図４】
2006080607.tif 000006
【図５】
2006080607.tif 000007
【図６】
2006080607.tif 000008